(57)【要約】【課題】通信装置が電話回線を介して受信したデータを、通信装置に宛先を登録しなくても携帯端末で読み出すこと。【解決手段】電話回線を介して通信する電話通信部と、検出部と、データ通信部と、制御部と、を備え、制御部は、電話通信部を用いてデータを受信するデータ受信処理と、データ受信処理で受信したデータを記憶装置に記憶させる記憶処理と、検出部を用いて、携帯端末を検出したか否かを判断する判断処理と、判断処理で携帯端末を検出したと判断した場合に、記憶装置に記憶されているデータを、データ通信部を用いて携帯端末に送信するデータ送信処理（Ｓ２１２）と、を実行する、通信装置。【選択図】図３
2015090601.tif 000002
【特許請求の範囲】
【請求項１】
電話回線を介して通信する電話通信部と、
検出部と、
データ通信部と、
制御部と、
を備え、
前記制御部は、
前記電話通信部を用いてデータを受信するデータ受信処理と、
前記データ受信処理で受信したデータを記憶装置に記憶させる記憶処理と、
前記検出部を用いて、携帯端末を検出したか否かを判断する判断処理と、
前記判断処理で携帯端末を検出したと判断した場合に、前記記憶装置に記憶されている前記データを、前記データ通信部を用いて前記携帯端末に送信するデータ送信処理と、
を実行する、通信装置。
【請求項２】
電話回線を介して通信する電話通信部と、
検出部と、
データ通信部と、
制御部と、
を備え、
前記制御部は、
前記電話通信部を用いてデータを受信するデータ受信処理と、
前記データ受信処理で受信したデータを記憶装置に記憶させる記憶処理と、
前記検出部を用いて、携帯端末を検出したか否かを判断する判断処理と、
前記判断処理で携帯端末を検出したと判断した場合に、前記記憶装置に記憶されている前記データを、前記データ通信部を用いて、前記携帯端末がデータを受信可能な外部装置に送信するデータ送信処理と、
を実行する、通信装置。
【請求項３】
請求項１又は請求項２に記載の通信装置であって、
前記制御部は、
前記記憶処理において、前記データ受信処理で受信したデータを、当該データの送信元を示す識別情報と対応付けて記憶させ、
前記データ送信処理において、前記データと前記データに対応付けられている識別情報とを送信する、通信装置。
【請求項４】
請求項１乃至請求項３のいずれか一項に記載の通信装置であって、
出力部を備え、
前記制御部は、
前記出力部を用いて、前記記憶装置に記憶されているデータを出力する出力処理を実行し、
前記データ送信処理において、前記記憶装置に記憶されている前記データのうち未だ前記出力処理によって出力されていないデータを送信する、通信装置。
【請求項５】
請求項１乃至請求項４のいずれか一項に記載の通信装置であって、
前記データは音声データであり、
前記制御部は、前記データ送信処理において、音声データを再生するのにかかる時間である再生時間が所定時間以上の前記音声データを送信し、再生時間が前記所定時間未満の前記音声データは送信しない、通信装置。
【請求項６】
請求項１乃至請求項５のいずれか一項に記載の通信装置であって、
前記検出部は無線通信部であり、
前記制御部は、前記判断処理において、携帯端末と前記無線通信部を介して通信可能になった場合に携帯端末を検出したと判断する、通信装置。
【請求項７】
請求項６に記載の通信装置であって、
前記データ通信部の通信速度は、前記無線通信部の通信速度より高速である、通信装置。
【請求項８】
請求項１又は請求項２に記載の通信装置であって、
前記制御部は、
前記記憶処理において、前記データ受信処理で受信したデータを、当該データの送信元を示す識別情報と対応付けて前記記憶装置に記憶させ、
前記データ通信部を用いて前記携帯端末から識別情報リストを受信する識別情報受信処理を実行し、
前記データ送信処理において、前記識別情報受信処理で受信した識別情報リストに含まれている識別情報と一致する識別情報が対応付けられている前記データを送信する、通信装置。
【請求項９】
請求項１又は請求項２に記載の通信装置であって、
前記記憶装置にはユーザ毎に識別情報リストが記憶されており、
前記制御部は、
前記記憶処理において、前記データ受信処理で受信したデータを、当該データの送信元を示す識別情報と対応付けて記憶させ、
前記携帯端末のユーザを示すユーザ情報を取得する取得処理を実行し、
前記データ送信処理において、前記ユーザ情報によって示されるユーザの識別情報リストに含まれている識別情報と一致する識別情報が対応付けられている前記データを送信する、通信装置。
【請求項１０】
請求項１乃至請求項９のいずれか一項に記載の通信装置であって、
前記制御部は、
前記判断処理で携帯端末を検出したと判断した場合に、前記記憶装置に記憶されている前記データのリストを、前記データ通信部を用いて前記携帯端末に送信するリスト送信処理と、
前記データのリストに含まれている前記データのうち前記携帯端末で選択されたデータを示す選択情報を前記携帯端末から受信する選択受信処理と、
を実行し、
前記データ送信処理において、前記記憶装置に記憶されている前記データのうち前記選択情報によって示されるデータを送信する、通信装置。
【請求項１１】
携帯端末と通信装置とを備える通信システムであって、
前記携帯端末は、
端末側データ通信部を備え、
前記通信装置は、
電話回線を介して通信する電話通信部と、
検出部と、
装置側データ通信部と、
制御部と、を備え、
前記制御部は、
前記電話通信部を用いてデータを受信するデータ受信処理と、
前記検出部を用いて、前記携帯端末を検出したか否かを判断する判断処理と、
前記判断処理で携帯端末を検出したと判断した場合に、前記受信処理で受信した前記データを、前記装置側データ通信部を用い、前記端末側データ通信部を介して前記携帯端末に送信するデータ送信処理と、
を実行する、通信システム。
【請求項１２】
端末側データ通信部と、
記憶部と、
表示部と、
制御部と、
を備える携帯端末で実行されるプログラムであって、
前記記憶部は識別情報リストを記憶し、
当該プログラムは、前記制御部に、
電話回線を介して受信したデータを記憶している通信装置から、前記端末側データ通信部を用いて、当該通信装置に前記データを送信した送信元を示す識別情報からなる識別情報リストを受信する識別情報受信処理と、
前記識別情報受信処理で受信した識別情報リストに含まれている識別情報のうち前記記憶部に記憶されている前記識別情報リストに含まれている識別情報と一致する識別情報に対応付けられている情報を前記表示部に表示させてユーザから選択を受け付ける選択受付処理と、
前記選択受付処理で選択された情報に対応する識別情報を、前記端末側データ通信部を用いて前記通信装置に送信する識別情報送信処理と、
前記端末側データ通信部を用いて、前記通信装置から前記データを受信するデータ受信処理と、
を実行させるプログラム。
【発明の詳細な説明】
【技術分野】
【０００１】
電話回線を介して受信したデータを携帯端末で読み出す技術に関する。
【背景技術】
【０００２】
従来から、電話の着信があると自動応答して発信者からの用件メッセージを受信し、受信した用件メッセージを、宛先として登録されている電子メールアドレスに電子メールで送信する電話機が知られている（例えば、特許文献１参照）。
【先行技術文献】
【特許文献】
【０００３】
【特許文献１】特開２００４−５６４７１号公報
【発明の概要】
【発明が解決しようとする課題】
【０００４】
ところで、ユーザは携帯端末で用件メッセージを再生したい場合もある。しかしながら、上述した従来の技術によると、電話機に自身の電子メールアドレスが宛先として登録されていないユーザは携帯端末で用件メッセージを再生できないという制約が生じる。
【０００５】
本明細書では、通信装置が電話回線を介して受信したデータを、通信装置に宛先を登録しなくても携帯端末で読み出すことが可能な技術を開示する。
【課題を解決するための手段】
【０００６】
本明細書によって開示される通信装置は、電話回線を介して通信する電話通信部と、検出部と、データ通信部と、制御部と、を備え、前記制御部は、前記電話通信部を用いてデータを受信するデータ受信処理と、前記データ受信処理で受信したデータを記憶装置に記憶させる記憶処理と、前記検出部を用いて、携帯端末を検出したか否かを判断する判断処理と、前記判断処理で携帯端末を検出したと判断した場合に、前記記憶装置に記憶されている前記データを、前記データ通信部を用いて前記携帯端末に送信するデータ送信処理と、を実行する。
【０００７】
上記通信装置によると、携帯端末を検出したと判断した場合に、通信装置が電話回線を介して受信したデータを当該携帯端末に送信する。このため、通信装置が電話回線を介して受信したデータを、通信装置に宛先を登録しなくても携帯端末で読み出すことが可能になる。
【０００８】
また、本明細書によって開示される通信装置は、電話回線を介して通信する電話通信部と、検出部と、データ通信部と、制御部と、を備え、前記制御部は、前記電話通信部を用いてデータを受信するデータ受信処理と、前記データ受信処理で受信したデータを記憶装置に記憶させる記憶処理と、前記検出部を用いて、携帯端末を検出したか否かを判断する判断処理と、前記判断処理で携帯端末を検出したと判断した場合に、前記記憶装置に記憶されている前記データを、前記データ通信部を用いて、前記携帯端末がデータを受信可能な外部装置に送信するデータ送信処理と、を実行する。
【０００９】
上記通信装置によると、携帯端末を検出したと判断した場合に、通信装置が電話回線を介して受信したデータを、当該携帯端末がデータを受信可能な外部装置に送信する。このため、携帯端末は外部装置からデータを受信することにより、通信装置が電話回線を介して受信したデータを、通信装置に宛先を登録しなくても携帯端末で読み出すことが可能になる。
【００１０】
また、前記制御部は、前記制御部は、前記記憶処理において、前記データ受信処理で受信したデータを、当該データの送信元を示す識別情報と対応付けて記憶させ、前記データ送信処理において、前記データと前記データに対応付けられている識別情報とを送信してもよい。
【００１１】
上記通信装置によると、携帯端末のユーザはデータの送信元を示す識別情報を知ることができるので、データの送信元との連絡を取り易くなる。
【００１２】
また、上記通信装置は、出力部を備え、前記制御部は、前記出力部を用いて、前記記憶装置に記憶されているデータを出力する出力処理を実行し、前記データ送信処理において、前記記憶装置に記憶されている前記データのうち未だ前記出力処理によって出力されていないデータを送信してもよい。
【００１３】
既に出力処理によって出力されたことのあるデータはユーザが受信したいと所望する可能性が低いと考えられる。上記通信装置によると、ユーザが受信したいと所望する可能性の高いデータを送信することができ、ユーザの利便性に資する。
【００１４】
また、前記データは音声データであり、前記制御部は、前記データ送信処理において、音声データを再生するのにかかる時間である再生時間が所定時間以上の前記音声データを送信し、再生時間が前記所定時間未満の前記音声データは送信しないようにしてもよい。
【００１５】
再生時間が所定時間未満の音声データは携帯端末に送信する必要性の低い無効な音声データであると推測される。上記通信装置によると、無効な音声データであると推測される音声データが送信されてしまわないようにすることができる。
【００１６】
また、前記検出部は無線通信部であり、前記制御部は、前記判断処理において、携帯端末と前記無線通信部を介して通信可能になった場合に携帯端末を検出したと判断してもよい。
【００１７】
携帯端末と通信装置との無線通信は、携帯端末が無線通信部の通信可能距離内まで接近しないと可能にならない。逆に言うと、通信装置が携帯端末と無線通信部を介して通信可能になった場合は、携帯端末が無線通信部の通信可能距離内にあることになる。従って、通信装置が携帯端末と無線通信部を介して通信可能になった場合は、無線通信部の通信可能距離内で携帯端末を検出したと判断することができる。
【００１８】
また、前記データ通信部の通信速度は、前記無線通信部の通信速度より高速であってもよい。
【００１９】
上記通信装置によると、無線通信部の通信速度より高速のデータ通信部を用いてデータを送信するので、無線通信部を用いてデータを送信する場合に比べて短時間にデータを送信できる。
【００２０】
また、前記制御部は、前記記憶処理において、前記データ受信処理で受信したデータを、当該データの送信元を示す識別情報と対応付けて前記記憶装置に記憶させ、前記データ通信部を用いて前記携帯端末から識別情報リストを受信する識別情報受信処理を実行し、前記データ送信処理において、前記識別情報受信処理で受信した識別情報リストに含まれている識別情報と一致する識別情報が対応付けられている前記データを送信してもよい。
【００２１】
携帯端末の識別情報リストに識別情報が含まれている送信元から受信したデータは当該携帯端末のユーザとの関連性が高いと考えられる。上記通信装置によると、携帯端末のユーザとの関連性が高いと考えられるデータを携帯端末に送信することができる。
【００２２】
また、前記記憶装置にはユーザ毎に識別情報リストが記憶されており、前記制御部は、前記記憶処理において、前記データ受信処理で受信したデータを、当該データの送信元を示す識別情報と対応付けて記憶させ、前記携帯端末のユーザを示すユーザ情報を取得する取得処理を実行し、前記データ送信処理において、前記ユーザ情報によって示されるユーザの識別情報リストに含まれている識別情報と一致する識別情報が対応付けられている前記データを送信してもよい。
【００２３】
ユーザ情報によって示されるユーザの識別情報リストに識別情報が含まれている送信元から受信したデータは携帯端末のユーザとの関連性が高いと考えられる。上記通信装置によると、携帯端末のユーザとの関連性が高いと考えられるデータを携帯端末に送信することができる。
【００２４】
また、前記制御部は、前記判断処理で携帯端末を検出したと判断した場合に、前記記憶装置に記憶されている前記データのリストを、前記データ通信部を用いて前記携帯端末に送信するリスト送信処理と、前記データのリストに含まれている前記データのうち前記携帯端末で選択されたデータを示す選択情報を前記携帯端末から受信する選択受信処理と、を実行し、前記データ送信処理において、前記記憶装置に記憶されている前記データのうち前記選択情報によって示されるデータを送信してもよい。
【００２５】
上記通信装置によると、通信装置に複数のデータが記憶されている場合に、携帯端末に送信するデータを携帯端末のユーザが選択できる。
【００２６】
本明細書によって開示される通信システムは、携帯端末と通信装置とを備える通信システムであって、前記携帯端末は、端末側データ通信部を備え、前記通信装置は、電話回線を介して通信する電話通信部と、検出部と、装置側データ通信部と、制御部と、を備え、前記制御部は、前記電話通信部を用いてデータを受信するデータ受信処理と、前記検出部を用いて、前記携帯端末を検出したか否かを判断する判断処理と、前記判断処理で携帯端末を検出したと判断した場合に、前記受信処理で受信した前記データを、前記装置側データ通信部を用い、前記端末側データ通信部を介して前記携帯端末に送信するデータ送信処理と、を実行する。
【００２７】
上記通信システムによると、通信装置が電話回線を介して受信したデータを、通信装置に宛先を登録しなくても携帯端末で読み出すことが可能になる。
【００２８】
本明細書によって開示されるプログラムは、端末側データ通信部と、記憶部と、表示部と、制御部と、を備える携帯端末で実行されるプログラムであって、前記記憶部は識別情報リストを記憶し、当該プログラムは、前記制御部に、電話回線を介して受信したデータを記憶している通信装置から、前記端末側データ通信部を用いて、当該通信装置に前記データを送信した送信元を示す識別情報からなる識別情報リストを受信する識別情報受信処理と、前記識別情報受信処理で受信した識別情報リストに含まれている識別情報のうち前記記憶部に記憶されている前記識別情報リストに含まれている識別情報と一致する識別情報に対応付けられている情報を前記表示部に表示させてユーザから選択を受け付ける選択受付処理と、前記選択受付処理で選択された情報に対応する識別情報を、前記端末側データ通信部を用いて前記通信装置に送信する識別情報送信処理と、前記端末側データ通信部を用いて、前記通信装置から前記データを受信するデータ受信処理と、を実行させる。
【００２９】
上記プログラムによると、携帯端末のユーザはどの送信元から送信されたデータを受信するかを選択できる。その場合に、携帯端末のユーザと関連性が高いデータが選択肢として表示されるから、携帯端末に送信して欲しいデータをユーザが選択し易くなる。
【発明の効果】
【００３０】
上記の通信装置によると、通信装置が電話回線を介して受信したデータを、通信装置に宛先を登録しなくても携帯端末で読み出すことが可能になる。
【図面の簡単な説明】
【００３１】
【図１】実施形態１に係る通信システムの電気的構成を簡略化して示すブロック図。
【図２】携帯電話側送受信処理のフローチャート。
【図３】複合機側送受信処理のフローチャート。
【図４】実施形態２に係る携帯電話側送受信処理のフローチャート。
【図５】複合機側送受信処理のフローチャート。
【図６】実施形態３に係る選択画面の模式図。
【図７】携帯電話側送受信処理のフローチャート。
【図８】複合機側送受信処理のフローチャート。
【発明を実施するための形態】
【００３２】
＜実施形態１＞
実施形態１を図１ないし図３によって説明する。
（１）通信システム
先ず、図１を参照して、実施形態１に係る通信システム１について説明する。通信システム１は複合機１０、及び、携帯電話２０を備えて構成されている。複合機１０は通信装置の一例である。また、携帯電話２０は携帯端末の一例である。
【００３３】
複合機１０は、印刷機能、画像読取機能、コピー機能、ＦＡＸ機能、電話機能、ＷｉＦｉ方式の無線通信機能、ＮＦＣ方式の無線通信機能などを有している。ＦＡＸはファクシミリの略である。ＮＦＣはＮｅａｒ  Ｆｉｅｌｄ  Ｃｏｍｍｕｎｉｃａｔｉｏｎの略である。また、ＷｉＦｉはＷｉｒｅｌｅｓｓ  Ｆｉｄｅｌｉｔｙの略である。
【００３４】
携帯電話２０は所謂スマートフォンであり、携帯電話網の基地局を介して通話するための携帯電話機能、ＷｉＦｉ方式の無線通信機能、ＮＦＣ方式の無線通信機能などを有している。
【００３５】
（１−１）複合機の電気的構成
複合機１０は、装置側制御部１１、表示部１２、操作部１３、印刷部１４、画像読取部１５、電話・ＦＡＸ部１６、ＷｉＦｉ通信部１７、ＮＦＣ通信部１８、出力部１９などを備えている。
【００３６】
装置側制御部１１はＣＰＵ１１Ａ、ＲＯＭ１１Ｂ、ＲＡＭ１１Ｃ、ＡＳＩＣ１１Ｄ、ＥＥＰＲＯＭ１１Ｅなどを備えて構成されている。ＣＰＵ１１ＡはＲＯＭ１１Ｂに記憶されている制御プログラムを実行することによって複合機１０の各部を制御する。ＲＯＭ１１ＢにはＣＰＵ１１Ａによって実行される制御プログラムや各種のデータなどが記憶されている。ＲＡＭ１１ＣはＣＰＵ１１Ａが各種の処理を実行するための主記憶装置として用いられる。ＥＥＰＲＯＭ１１Ｅは各種のデータを記憶する不揮発性メモリである。ＲＡＭ１１Ｃ、及び、ＥＥＰＲＯＭ１１Ｅは記憶装置の一例である。
【００３７】
表示部１２は液晶ディスプレイなどの表示装置、表示装置を駆動する駆動回路などを備えて構成されている。
操作部１３は表示部１２を覆うタッチパネルを備えて構成されている。利用者は表示部１２に表示されている操作ボタンをタッチパネルの上からタッチすることによって各種の操作を行うことができる。
印刷部１４は印刷用紙などのシートに電子写真方式やインクジェット方式などで画像を印刷する。
【００３８】
画像読取部１５はイメージセンサ、原稿台ガラス、原稿カバーなどを備えており、原稿台ガラスに載置されている原稿をイメージセンサによって読み取って画像データを生成する。また、原稿カバーにはＡＤＦ（Ａｕｔｏ  Ｄｏｃｕｍｅｎｔ  Ｆｅｅｄｅｒ）が設けられている。画像読取部１５はＡＤＦによって複数の原稿を１枚ずつ搬送しながら読み取ることもできる。
【００３９】
電話・ＦＡＸ部１６はＮＣＵ（Ｎｅｔｗｏｒｋ  Ｃｏｎｔｒｏｌ  Ｕｎｉｔ）、モデム、受話器、オフフック検出部、着信音を鳴らすためのスピーカなどを備えている。オフフック検出部は受話器を持ち上げるオフフック、及び、受話器を元の位置に置くオンフックを検出するための機械的にオン／オフされるスイッチである。
【００４０】
電話・ＦＡＸ部１６には電話回線が接続されており、装置側制御部１１は電話・ＦＡＸ部１６を用いて外部の電話機から音声データを受信したり、あるいは外部のＦＡＸ装置からＦＡＸデータを受信したりする。装置側制御部１１が電話・ＦＡＸ部１６を用いて音声データやＦＡＸデータを受信する処理はデータ受信処理の一例である。
【００４１】
ＷｉＦｉ通信部１７は携帯電話２０との間でＷｉＦｉ方式の無線通信を行うためのハードウェアインタフェースである。ＷｉＦｉ方式の無線通信についての説明は後述する。ＷｉＦｉ通信部１７はデータ通信部、及び、装置側データ通信部の一例である。
【００４２】
ＮＦＣ通信部１８は携帯電話２０との間でＮＦＣ方式の無線通信を行うためのハードウェアインタフェースである。ＮＦＣ方式の無線通信についての説明は後述する。ＮＦＣ通信部１８は検出部、及び、無線通信部の一例である。
【００４３】
出力部１９はスピーカ、アンプなどを備えている。出力部１９は電話・ＦＡＸ部１６に着信があった場合に着信音を鳴らしたり後述する留守番電話メッセージを再生したりすることに用いられる。
【００４４】
（１−２）携帯電話の電気的構成
携帯電話２０は、端末側制御部２１、電話部２２、表示部２３、操作部２４、ＷｉＦｉ通信部２５、ＮＦＣ通信部２６などを備えて構成されている。端末側制御部２１、表示部２３、操作部２４、ＷｉＦｉ通信部２５、及び、ＮＦＣ通信部２６の構成は複合機１０と実質的に同一であるので説明は省略する。ＷｉＦｉ通信部２５は端末側データ通信部の一例である。
【００４５】
電話部２２は、通話のためのマイク、スピーカ、携帯電話網の基地局と無線通信するためのアンテナ、制御回路などを備えて構成されている。電話部２２は基地局から受信した音声信号をスピーカに発音させる処理や、マイクを介して入力された音声信号を基地局に送信する処理などを行う。
【００４６】
端末側制御部２１が備えるＥＥＰＲＯＭ２１Ｅには、複合機１０から留守番電話メッセージを受信する処理をＣＰＵに実行させる通信プログラム、留守番電話メッセージを再生する処理をＣＰＵに実行させる音声再生プログラム、電話帳などが記憶されている。電話帳は電話番号や電話番号に対応する名称などが登録されているデータである。電話番号は識別情報の一例である。通信プログラムはプログラムの一例である。また、ＥＥＰＲＯＭ２１Ｅは記憶部の一例である。
【００４７】
（２）ＷｉＦｉ方式の無線通信機能、及び、ＮＦＣ方式の無線通信機能
次に、前述したＷｉＦｉ方式の無線通信機能、及び、ＮＦＣ方式の無線通信機能について説明する。
【００４８】
（２−１）ＷｉＦｉ方式の無線通信機能
ＷｉＦｉとは、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）８０２．１１、あるいはそれに準ずる規格に基づいて行われる無線通信のことをいう。
【００４９】
ＷｉＦｉ方式の無線通信機能は、複合機１０と携帯電話２０との間で大容量のデータを無線によって送受信するために設けられている。具体的には例えば、携帯電話２０は複合機１０との間でＷｉＦｉ方式の無線通信を行うことにより、複合機１０に印刷ジョブを送信したり、複合機１０の画像読取機能によって原稿を読み取って生成された画像データを複合機１０から受信したり、複合機１０から後述する留守番電話メッセージを受信したりすることができる。
【００５０】
ここで、ＷｉＦｉ方式の無線通信には、図示しないアクセスポイントを介して行われる通常ＷｉＦｉ方式と、アクセスポイントを介さず、二つの無線装置が１対１で通信するＷｉＦｉダイレクト方式とがある。本実施形態では複合機１０と携帯電話２０とがＷｉＦｉダイレクト方式によって無線通信する場合を例に説明する。なお、複合機１０と携帯電話２０とは通常ＷｉＦｉ方式によって無線通信してもよい。
【００５１】
（２−２）ＮＦＣ方式の無線通信機能
ＮＦＣとは、ＩＳＯ／ＩＥＣ２１４８１やＩＳＯ／ＩＥＣ１８０９２などの国際標準規格に基づいて行われる近距離無線通信のことをいう。なお、ＮＦＣは国際標準規格に基づいて行われるものに限定されない。ＮＦＣ方式の無線通信の通信速度はＷｉＦｉ方式の無線通信よりも遅いものとする。言い換えると、ＷｉＦｉ方式の無線通信はＮＦＣ方式の無線通信より通信速度が速いものとする。
【００５２】
ＮＦＣ方式の無線通信機能は、ＷｉＦｉダイレクト方式の無線通信の確立を簡易に行うため、携帯電話２０が複合機２０に後述する留守番電話メッセージの送信を要求するためなどの目的で設けられている。複合機１０の電源がオンである間、複合機１０のＮＦＣ通信部１８は一定の時間間隔でポーリング信号を送信する。複合機１０のＮＦＣ通信部１８と携帯電話２０のＮＦＣ通信部２６との距離が通信可能距離以内となる位置までユーザが携帯電話２０を複合機１０に接近させると、携帯電話２０のＮＦＣ通信部２６はＮＦＣ通信部１８の送信するポーリング信号を受信する。
【００５３】
携帯電話２０のＮＦＣ通信部２６はポーリング信号を受信すると複合機１０のＮＦＣ通信部１８にレスポンス信号を送信する。複合機１０のＮＦＣ通信部１８がレスポンス信号を受信することにより、複合機１０はＮＦＣ通信部１８の通信可能距離内で携帯電話２０を検出したと判断する。
【００５４】
複合機１０は携帯電話２０を検出したと判断すると、携帯電話２０との間でＮＦＣ方式の無線通信を確立する。複合機１０の装置側制御部１１が、ＮＦＣ通信部１８を用いて、携帯電話２０を検出したか否かを判断する処理は判断処理の一例である。
【００５５】
複合機１０は、携帯電話２０との間でＮＦＣ方式の無線通信を確立すると、携帯電話２０との間でＳＳＩＤ（Ｓｅｒｖｉｃｅ  Ｓｅｔ  Ｉｄｅｎｔｉｆｉｅｒ）、パスワード、ＩＰ（Ｉｎｔｅｒｎｅｔ  Ｐｒｏｔｏｃｏｌ）アドレスなどのＷｉＦｉダイレクト方式の無線通信を確立するための情報を交換する。なお、ＷｉＦｉダイレクト方式の無線通信を確立するための情報はパスワードを含んでいなくてもよい。
【００５６】
そして、複合機１０は、その情報を用いて携帯電話２０との間でＷｉＦｉダイレクト方式の無線通信を確立し、携帯電話２０との通信をＷｉＦｉダイレクト方式の無線通信に切り替える。
【００５７】
（３）留守番電話メッセージの記憶、及び、送信
複合機１０は、電話・ＦＡＸ部１６に着信があったとき、呼び出し音を一定回数鳴らしてもユーザがオフフックしなかった場合は自動でオフフックする。複合機１０は、自動でオフフックした場合に、その着信がＦＡＸ着信であった場合は、発信元のＦＡＸ装置からＦＡＸデータを受信してＥＥＰＲＯＭ１１Ｅに記憶させる。
【００５８】
一方、複合機１０は、自動でオフフックした場合に、その着信が通話着信であった場合は、発信元の電話機から留守番電話メッセージを受信し、受信した留守番電話メッセージを発信元の電話機の電話番号と対応付けてＲＡＭ１１Ｃに記憶する。
【００５９】
以降の説明では発信元の電話機の電話番号のことを送信元電話番号という。留守番電話メッセージはデータ、及び、音声データの一例である。また、装置側制御部１１が留守番電話メッセージを送信元電話番号と対応付けてＲＡＭ１１Ｃに記憶する処理は記憶処理の一例である。
【００６０】
ＲＡＭ１１Ｃに留守番電話メッセージが記憶されている場合、ユーザは複合機１０の出力部１９でその留守番電話メッセージを再生することもできるし、ＷｉＦｉダイレクト方式の無線通信によってその留守番電話メッセージを携帯電話２０に送信し、携帯電話２０で再生することもできる。ＣＰＵ１１Ａが出力部１９を用いて留守番電話メッセージを再生する処理は出力処理の一例である。
【００６１】
ここで、実施形態１に係る複合機１０は、ＲＡＭ１１Ｃに記憶されている留守番電話メッセージを携帯電話２０に送信するとき、記憶されている全ての留守番電話メッセージを送信するのではなく、以下の条件を全て満たす留守番電話メッセージだけを送信するものとする。
【００６２】
（ａ）携帯電話２０の電話帳に登録されている電話番号と一致する送信元電話番号が対応付けられている留守番電話メッセージ。
（ｂ）未だ複合機１０の出力部１９で再生されたことのない未再生の留守番電話メッセージ。
（ｃ）音声データを再生するのにかかる時間である再生時間が２秒以上の留守番電話メッセージ。２秒は所定時間の一例である。なお、ユーザが所定時間を設定できる構成であってもよい。
【００６３】
（４）送受信処理
次に、複合機１０に記憶されている留守番電話メッセージを携帯電話２０に送信する送受信処理について説明する。送受信処理は携帯電話２０で実行される携帯電話側送受信処理と複合機１０で実行される複合機側送受信処理とからなる。
【００６４】
（４−１）携帯電話側送受信処理
先ず、図２を参照して、携帯電話２０によって実行される携帯電話側送受信処理について説明する。携帯電話側送受信処理は携帯電話２０のＣＰＵ２１Ａが前述した通信プログラムを実行することによって実行される処理である。本処理は携帯電話２０と複合機１０との間でＮＦＣ方式の無線通信が確立されると開始される。
【００６５】
Ｓ１０１では、ＣＰＵ２１ＡはＮＦＣ方式の無線通信によって複合機１０に留守番電話メッセージの送信を要求する。
Ｓ１０２では、ＣＰＵ２１Ａは複合機１０からＳＳＩＤ、パスワード、ＩＰアドレスなどを受信したか否かを判断し、受信した場合（Ｓ１０２：Ｙｅｓ）はＳ１０３に進み、受信していない場合（Ｓ１０２：Ｎｏ）は受信するまでＳ１０２の判断を繰り返す。なお、一定時間が経過しても受信しなかった場合は本処理を終了するものとする。
【００６６】
Ｓ１０３では、ＣＰＵ２１Ａは携帯電話２０のＳＳＩＤ、パスワード、ＩＰアドレスなどをＮＦＣ方式の無線通信によって携帯電話２０に送信する。
Ｓ１０４では、ＣＰＵ２１Ａは複合機１０との間でＷｉＦｉダイレクト方式の無線通信を確立し、複合機１０との通信をＷｉＦｉダイレクト方式の無線通信に切り替える。
【００６７】
Ｓ１０５では、ＣＰＵ２１Ａは複合機１０から電話番号リストの送信を要求されたか否かを判断する。電話番号リストとは、携帯電話２０の電話帳に登録されている電話番号のリストのことをいう。ＣＰＵ２１Ａは、電話番号リストの送信を要求された場合（Ｓ１０５：Ｙｅｓ）はＳ１０６に進み、要求されていない場合（Ｓ１０５：Ｎｏ）は要求されるまでＳ１０５の判断を繰り返す。なお、一定時間が経過しても要求されなかった場合は本処理を終了するものとする。
【００６８】
Ｓ１０６では、ＣＰＵ２１Ａは複合機１０に電話番号リストを送信する。
Ｓ１０７では、ＣＰＵ２１Ａは複合機１０からの留守番電話メッセージの受信が完了したか否かを判断し、完了した場合（Ｓ１０７：Ｙｅｓ）は本処理を終了し、完了していない場合（Ｓ１０７：Ｎｏ）は完了するまでＳ１０７の判断を繰り返す。携帯電話２０がＷｉＦｉ通信部２５を用いて複合機１０から留守番電話メッセージを受信する処理はデータ受信処理の一例である。
【００６９】
（４−２）複合機側送受信処理
次に、図３を参照して、複合機１０によって実行される複合機側送受信処理について説明する。複合機側送受信処理は複合機１０のＣＰＵ１１Ａが制御プログラムを実行することによって実行される処理である。本処理は携帯電話２０と複合機１０との間でＮＦＣ方式の無線通信が確立されると開始される。
【００７０】
Ｓ２０１では、ＣＰＵ１１Ａは携帯電話２０から留守番電話メッセージの送信を要求されたか否かを判断し、要求された場合はＳ２０２に進み、要求されていない場合は要求されるまでＳ２０１の判断を繰り返す。なお、一定時間が経過しても要求されなかった場合は本処理を終了するものとする。
Ｓ２０２では、ＣＰＵ１１ＡはＲＡＭ１１Ｃに未再生の留守番電話メッセージがあるか否かを判断し、未再生の留守番電話メッセージがある場合（Ｓ２０２：Ｙｅｓ）はＳ２０３に進み、ない場合（Ｓ２０２：Ｎｏ）は本処理を終了する。
【００７１】
Ｓ２０３では、ＣＰＵ１１Ａは未再生の留守番電話メッセージの中に再生時間が２秒以上の留守番電話メッセージがあるか否かを判断する。具体的には例えば、複合機１０は再生時間が２秒相当のデータ量以上の留守番電話メッセージがあるか否かを判断する。複合機１０は、ある場合（Ｓ２０３：Ｙｅｓ）はＳ２０４に進み、ない場合（Ｓ２０３：Ｎｏ）は本処理を終了する。
【００７２】
Ｓ２０４では、ＣＰＵ１１Ａは複合機１０のＳＳＩＤ、パスワード、及び、ＩＰアドレスなどをＮＦＣ方式の無線通信によって携帯電話２０に送信する。
【００７３】
Ｓ２０５では、ＣＰＵ１１Ａは携帯電話２０からＳＳＩＤ、パスワード、及び、ＩＰアドレスなどを受信したか否かを判断し、受信した場合（Ｓ２０５：Ｙｅｓ）はＳ２０６に進み、受信していない場合（Ｓ２０５：Ｎｏ）は受信するまでＳ２０５の判断を繰り返す。なお、一定時間が経過しても受信しなかった場合は本処理を終了するものとする。
【００７４】
Ｓ２０６では、ＣＰＵ１１Ａは携帯電話２０との間でＷｉＦｉダイレクト方式の無線通信を確立し、携帯電話２０との通信をＷｉＦｉダイレクト方式の無線通信に切り替える。
Ｓ２０７では、ＣＰＵ１１Ａは携帯電話２０に電話番号リストの送信を要求する。
【００７５】
Ｓ２０８では、ＣＰＵ１１Ａは携帯電話２０から電話番号リストを受信したか否かを判断し、受信した場合（Ｓ２０８：Ｙｅｓ）はＳ２０９に進み、受信していない場合（Ｓ２０８：Ｎｏ）は受信するまでＳ２０８の判断を繰り返す。なお、一定時間が経過しても受信しなかった場合は本処理を終了するものとする。
Ｓ２０９では、ＣＰＵ１１Ａは未再生の留守番電話メッセージのうち再生時間が２秒未満の留守番電話メッセージに対応付けられている送信元電話番号を抽出する。
【００７６】
Ｓ２１０では、ＣＰＵ１１ＡはＳ２０９で抽出した送信元電話番号の中に携帯電話２０から受信した電話番号リストに含まれている電話番号と一致する送信元電話番号があるか否かを判断し、ある場合（Ｓ２１０：Ｙｅｓ）はＳ２１１に進み、ない場合（Ｓ２１０：Ｎｏ）は本処理を終了する。
【００７７】
Ｓ２１１では、ＣＰＵ１１ＡはＳ２０９で抽出した送信元電話番号のうち携帯電話２０から受信した電話番号リストに含まれている電話番号と一致する送信元電話番号が対応付けられている留守番電話メッセージのデータ形式を携帯電話２０で再生可能なデータ形式に変換する。
【００７８】
ここでは携帯電話２０はＭＰ３（ＭＰＥＧ  Ａｕｄｉｏ  Ｌａｙｅｒ−３）形式の音声データを再生可能であり、複合機１０は留守番電話メッセージのデータ形式をＭＰ３形式に変換するものとする。以降の説明ではＭＰ３形式の音声データのことを単にＭＰ３データという。
【００７９】
なお、データ形式を変換する処理はある程度時間を要するので、複合機１０はＳ２１１の処理を開始する前に、変換処理中であることを示すメッセージを携帯電話２０に送信し、携帯電話２０はそのメッセージを表示部２３に表示してユーザに報知してもよい。
【００８０】
Ｓ２１２では、ＣＰＵ１１Ａは、ＷｉＦｉ通信部１７を用い、携帯電話２０のＷｉＦｉ通信部２５を介して、Ｓ２１１で変換したＭＰ３データとそのＭＰ３データの変換元の留守番電話メッセージに対応付けられている送信元電話番号とを携帯電話２０に送信する。Ｓ２１２はデータ送信処理の一例である。
【００８１】
なお、複合機１０はＭＰ３データを送信した後にそのＭＰ３データのみ、または、そのＭＰ３データとそのＭＰ３データの変換元の留守番電話メッセージとをＲＡＭ１１Ｃから削除してもよい。
【００８２】
（５）実施形態の効果
以上説明した複合機１０によると、携帯電話２０のユーザは、電子メールアドレスのような宛先を複合機１０に予め登録しておかなくても、携帯電話２０を複合機１０のＮＦＣ通信部１８に近付けると、複合機１０が電話回線を介して受信した留守番電話メッセージを携帯電話２０で再生することが可能になる。
【００８３】
更に、複合機１０によると、留守番電話メッセージとその留守番電話メッセージに対応付けられている送信元電話番号とを携帯電話２０に送信する。これにより携帯電話２０のユーザは留守番電話メッセージの送信元との連絡を取り易くなる。
【００８４】
更に、複合機１０によると、ＲＡＭ１１Ｃに記憶されている留守番電話メッセージのうち未再生の留守番電話メッセージを携帯電話２０に送信する。ＲＡＭ１１Ｃに記憶されている留守番電話メッセージのうち既に出力部１９で再生されたことのある留守番電話メッセージはユーザが受信したいと所望する可能性が低いと考えられる。複合機１０によると、未再生の留守番電話メッセージを送信するので、携帯電話２０のユーザが受信したいと所望する可能性の高い留守番電話メッセージを送信することができ、ユーザの利便性に資する。
【００８５】
更に、複合機１０によると、再生時間が２秒以上の留守番電話メッセージを送信する一方、再生時間が２秒未満の留守番電話メッセージは送信しない。一般に再生時間が２秒未満の留守番電話メッセージは携帯電話２０に送信する必要性の低い無効な留守番電話メッセージであると推測される。複合機１０によると、無効な留守番電話メッセージであると推測される留守番電話メッセージが携帯電話２０に送信されてしまわないようにすることができる。
【００８６】
更に、複合機１０によると、携帯電話２０とＮＦＣ通信部１８を介して通信可能になった場合に携帯電話２０を検出したと判断する。携帯電話２０と複合機１０とのＮＦＣ方式の無線通信は、携帯電話２０がＮＦＣ通信部１８の通信可能距離内まで接近しないと通信可能にならない。逆に言うと、複合機１０が携帯電話２０とＮＦＣ通信部１８を介して通信可能になった場合は、携帯電話２０がＮＦＣ通信部１８の通信可能距離内にあることになる。従って、複合機１０が携帯電話２０とＮＦＣ通信部１８を介して通信可能になった場合は、ＮＦＣ通信部１８の通信可能距離内で携帯電話２０を検出したと判断することができる。
【００８７】
更に、複合機１０によると、ＮＦＣ通信部１８の通信速度より高速のＷｉＦｉ通信部１７を用いて留守番電話メッセージを送信するので、ＮＦＣ通信部１８を用いて送信する場合に比べて短時間に送信できる。
【００８８】
更に、複合機１０によると、携帯電話２０から電話番号リストを受信し、受信した電話番号リストに含まれている電話番号と一致する送信元電話番号が対応付けられている留守番電話メッセージを携帯電話２０に送信する。携帯電話２０の電話番号リストに含まれている電話番号と一致する電話番号の送信元から受信した留守番電話メッセージは当該携帯電話２０のユーザとの関連性が高いと考えられる。複合機１０によると、携帯電話２０のユーザとの関連性が高いと考えられる留守番電話メッセージを携帯電話２０に送信することができる。
【００８９】
＜実施形態２＞
次に、実施形態２を図４ないし図５によって説明する。
前述した実施形態１では携帯電話２０から電話番号リストを受信し、受信した電話番号リストに含まれている電話番号と一致する送信元電話番号が対応付けられている留守番電話メッセージを携帯電話２０に送信する場合を例に説明した。
【００９０】
これに対し、実施形態２に係る複合機１０にはユーザ毎に電話番号リストが記憶されている。複合機１０はＲＡＭ１１Ｃに記憶されている留守番電話メッセージを携帯電話２０に送信するとき、複合機１０に記憶されているユーザ毎の電話番号リストのうち複合機１０に認証情報を入力したユーザの電話番号リストに含まれている電話番号と一致する送信元電話番号が対応付けられている留守番電話メッセージを携帯電話２０に送信する。
【００９１】
（１）認証情報
先ず、認証情報について説明する。実施形態２では、ユーザは画像読取機能やコピー機能などを利用するとき、あるいは複合機１０に記憶されている留守番電話メッセージを携帯電話２０に送信するとき、予め複合機１０に認証情報を入力して複合機１０にログインする。
【００９２】
認証情報はユーザを一意に識別できる情報であればよく、例えばユーザＩＤであってもよいし、ユーザＩＤとパスワードとの組み合わせであってもよいし、パスワードだけでもよい。パスワードだけの場合は予め複合機１０のＥＥＰＲＯＭ１１ＥにユーザＩＤとパスワードとが対応付けられて記憶されているものとする。このため複合機１０はパスワードだけでもユーザを一意に識別することができる。認証情報はユーザ情報の一例である。
【００９３】
認証情報の入力は、複合機１０の操作部１３を操作することによって行ってもよいし、ＮＦＣ方式の無線通信によって行ってもよい。ここではＮＦＣ方式の無線通信によって行うものとする。具体的には、ユーザが複合機１０のＮＦＣ通信部１８に携帯電話２０を接近させると、携帯電話２０と複合機１０との間でＮＦＣ方式の無線通信が確立され、携帯電話２０に記憶されている認証情報がＮＦＣ方式の無線通信によって複合機１０に送信される。複合機１０が携帯電話２０からＮＦＣ方式の無線通信によって認証情報を受信する処理は取得処理の一例である。
【００９４】
複合機１０は認証情報が入力されると、入力された認証情報を用いて認証を行い、認証に成功した場合は複合機１０を利用可能なログイン状態にするとともに、携帯電話２０との無線通信をＷｉＦｉダイレクト方式の無線通信に切り替える。一方、複合機１０は、認証に失敗した場合は複合機１０の利用を許可しないとともに、ＷｉＦｉダイレクト方式の無線通信への切り替えも行わない。このため認証に失敗した場合は複合機１０から携帯電話２０への留守番電話メッセージの送信も行われない。
【００９５】
（２）ユーザ毎の電話番号リスト
次に、ユーザ毎の電話番号リストについて説明する。各ユーザは予め自分専用の電話番号リストを複合機１０のＥＥＰＲＯＭ１１Ｅに記憶させておくことができる。認証に成功したユーザは、例えば複合機１０から外部の電話機に電話をかけるとき、操作部１３を操作して複合機１０に電話番号リストの表示を指示する。複合機１０は電話番号リストの表示を指示されると、現在ログインしているユーザの電話番号リストを表示する。ユーザは表示された自分専用の電話番号リストの中から目的の電話番号を選択することができる。
【００９６】
（３）携帯電話側送受信処理
次に、図４を参照して、実施形態２に係る携帯電話側送受信処理について説明する。ここでは実施形態１に係る携帯電話側送受信処理と実質的に同一の処理には同一の符号を付して説明を省略する。
【００９７】
Ｓ１００では、ＣＰＵ２１ＡはＮＦＣ方式の無線通信によって複合機１０に認証情報を送信する。
なお、実施形態２に係る携帯電話側送受信処理では実施形態１に係る携帯電話側送受信処理のＳ１０５及びＳ１０６は実行されない。
【００９８】
（４）複合機側送受信処理
次に、図５を参照して、実施形態２に係る複合機側送受信処理について説明する。ここでは実施形態１に係る複合機側送受信処理と実質的に同一の処理には同一の符号を付して説明を省略する。
【００９９】
Ｓ３０１では、ＣＰＵ１１Ａは携帯電話２０から認証情報を受信したか否かを判断し、受信した場合（Ｓ３０１：Ｙｅｓ）はＳ２０１に進み、受信していない場合（Ｓ３０１：Ｎｏ）は受信するまでＳ３０１の判断を繰り返す。なお、一定時間が経過しても受信しなかった場合は本処理を終了するものとする。
【０１００】
Ｓ３０２では、ＣＰＵ１１Ａは受信した認証情報を用いた認証に成功したか否かを判断する。ここで、認証情報を用いた認証は送受信処理とは別の処理によって行われるものとし、ＣＰＵ１１Ａは当該別の処理による認証結果を参照するものとする。ＣＰＵ１１Ａは、認証に成功した場合（Ｓ３０２：Ｙｅｓ）はＳ２０２に進み、認証に失敗した場合（Ｓ３０２：Ｎｏ）は本処理を終了する。
【０１０１】
Ｓ３０３では、ＣＰＵ１１Ａは認証情報によって示されるユーザの電話番号リストがＥＥＰＲＯＭ１１Ｅに記憶されているか否かを判断し、記憶されている場合（Ｓ３０３：Ｙｅｓ）はＳ２０９に進み、記憶されていない場合（Ｓ３０３：Ｎｏ）は本処理を終了する。
【０１０２】
Ｓ３０４では、ＣＰＵ１１ＡはＳ２０９で抽出した送信元電話番号の中に認証情報によって示されるユーザの電話番号リストに含まれている電話番号と一致する送信元電話番号があるか否かを判断し、ある場合（Ｓ３０４：Ｙｅｓ）はＳ３０５に進み、ない場合（Ｓ３０４：Ｎｏ）は本処理を終了する。
【０１０３】
Ｓ３０５では、ＣＰＵ１１ＡはＳ２０９で抽出した送信元電話番号のうち認証情報によって示されるユーザの電話番号リストに含まれている電話番号と一致する送信元電話番号が対応付けられている留守番電話メッセージをＭＰ３データに変換する。
【０１０４】
（５）実施形態の効果
以上説明した複合機１０によると、複合機１０に記憶されているユーザ毎の電話番号リストのうち携帯電話２０のユーザの電話番号リストに含まれている電話番号と一致する送信元電話番号が対応付けられている留守番電話メッセージを携帯電話２０に送信する。携帯電話２０のユーザの電話番号リストに含まれている電話番号と一致する電話番号の送信元から受信した留守番電話メッセージは携帯電話２０のユーザとの関連性が高いと考えられる。このため複合機１０によると、携帯電話２０のユーザとの関連性が高いと考えられる留守番電話メッセージを携帯電話２０に送信することができる。
【０１０５】
＜実施形態３＞
次に、実施形態３を図６ないし図８によって説明する。
実施形態３では、携帯電話２０に送信する留守番電話メッセージを携帯電話２０のユーザが選択することができる。具体的には、実施形態３に係る複合機１０は、ＲＡＭ１１Ｃに記憶されている未再生の留守番電話メッセージであって再生時間が２秒以上の留守番電話メッセージに対応付けられている送信元電話番号からなる送信元電話番号リストを携帯電話２０に送信する。
【０１０６】
携帯電話２０は、複合機１０から送信元電話番号リストを受信すると、受信した送信元電話番号リストの中から留守番電話メッセージを受信する送信元電話番号の選択をユーザから受け付け、ユーザによって選択された送信元電話番号を示す選択情報を複合機１０に送信する。複合機１０は、携帯電話２０から選択情報を受信すると、その選択情報によって示される送信元電話番号が対応付けられている留守番電話メッセージを携帯電話２０に送信する。
【０１０７】
（１）選択画面
先ず、図６を参照して、携帯電話２０の表示部２３に表示される選択画面４０について説明する。選択画面４０は携帯電話２０が複合機１０から受信した送信元電話番号リストの中から留守番電話メッセージを受信する送信元電話番号をユーザが選択するための画面である。
【０１０８】
選択画面４０にはチェックボックス４１、発信者名４２、及び、送信元電話番号４３が一覧表示される。
送信元電話番号４３は複合機１０から受信した送信元電話番号リストに含まれている送信元電話番号のうち携帯電話２０の電話帳に登録されている電話番号と一致する送信元電話番号である。送信元電話番号リストに含まれている送信元電話番号であっても携帯電話２０の電話帳に登録されている電話番号と一致しない送信元電話番号は選択画面４０に表示されない。
【０１０９】
チェックボックス４１は送信元電話番号を選択するためのものである。ユーザは送信元電話番号を選択する場合はその送信元電話番号に対応するチェックボックス４１をオンにする。
【０１１０】
発信者名４２は複合機１０から送信されたものではなく、携帯電話２０の電話帳に登録されているものである。具体的には、携帯電話２０は各送信元電話番号について携帯電話２０の電話帳からその送信元電話番号と一致する電話番号に対応する名称を読み出し、読み出した名称を発信者名としてその送信元電話番号に対応させて選択画面４０に表示する。
【０１１１】
発信者名４２及び送信元電話番号４３は携帯電話２０の記憶部に記憶されている電話番号リストに含まれている電話番号と一致する電話番号に対応付けられている情報の一例である。なお、発信者名４２は表示しないようにしてもよい。その場合は送信元電話番号４３が電話番号に対応付けられている情報の一例である。
【０１１２】
（２）携帯電話側送受信処理
次に、図７を参照して、実施形態３に係る携帯電話側送受信処理について説明する。ここでは実施形態１に係る携帯電話側送受信処理と実質的に同一の処理には同一の符号を付して説明を省略する。
【０１１３】
Ｓ４０１では、ＣＰＵ２１Ａは複合機１０から送信元電話番号リストを受信したか否かを判断し、受信した場合（Ｓ４０１：Ｙｅｓ）はＳ４０２に進み、受信していない場合（Ｓ４０１：Ｎｏ）は受信するまでＳ４０１の判断を繰り返す。なお、一定時間が経過しても受信しなかった場合は本処理を終了するものとする。携帯電話２０が複合機１０から送信元電話番号リストを受信する処理は識別情報受信処理の一例である。
【０１１４】
Ｓ４０２では、ＣＰＵ２１Ａは選択画面４０を表示してユーザから送信元電話番号の選択を受け付ける。Ｓ４０２は選択受付処理の一例である。
Ｓ４０３では、ＣＰＵ２１Ａは、ＷｉＦｉ通信部２５を用い、ＷｉＦｉ通信部１７を介して、Ｓ４０２でユーザが選択した送信元電話番号を示す選択情報を複合機１０に送信する。Ｓ４０３は識別情報送信処理の一例である。
【０１１５】
（３）複合機側送受信処理
次に、図８を参照して、実施形態３に係る複合機側送受信処理について説明する。ここでは実施形態１に係る複合機側送受信処理と実質的に同一の処理には同一の符号を付して説明を省略する。
【０１１６】
Ｓ５０１では、ＣＰＵ１１Ａは、ＷｉＦｉ通信部１７を用い、ＷｉＦｉ通信部２５を介して、Ｓ２０９で抽出した送信元電話番号からなる送信元電話番号リストを携帯電話２０に送信する。送信元電話番号リストは、記憶装置に記憶されているデータのリスト、及び、送信元を示す識別情報からなる識別情報リストの一例である。
【０１１７】
Ｓ５０２では、ＣＰＵ１１Ａは携帯電話２０から選択情報を受信したか否かを判断し、受信した場合（Ｓ５０２：Ｙｅｓ）はＳ５０３に進み、受信していない場合は（Ｓ５０２：Ｎｏ）は受信するまでＳ５０２の判断を繰り返す。なお、一定時間が経過しても受信しなかった場合は本処理を終了するものとする。複合機１０が携帯電話２０から選択情報を受信する処理は選択受信処理の一例である。
【０１１８】
Ｓ５０３では、ＣＰＵ１１Ａは携帯電話２０から受信した選択情報によって示される送信元電話番号が対応付けられている留守番電話メッセージをＭＰ３データに変換する。
【０１１９】
（４）実施形態の効果
以上説明した実施形態３に係る複合機１０によると、携帯電話２０に送信する留守番電話メッセージを携帯電話２０のユーザが選択できる。
【０１２０】
更に、実施形態３に係る携帯電話２０によると、携帯電話２０のユーザと関連性が高い留守番電話メッセージに対応付けられている送信元電話番号だけが選択肢として表示されるので、携帯電話２０に送信して欲しい留守番電話メッセージをユーザが選択し易くなる。
【０１２１】
＜他の実施形態＞
上記記述及び図面によって説明した実施形態に限定されるものではなく、例えば次のような実施形態も技術的範囲に含まれる。
【０１２２】
（１）上記実施形態ではＲＡＭ１１Ｃに記憶されている留守番電話メッセージのうち未再生の留守番電話メッセージだけを携帯電話２０に送信する場合を例に説明した。これに対し、再生済みの留守番電話メッセージも送信するようにしてもよい。
【０１２３】
（２）上記実施形態ではＲＡＭ１１Ｃに記憶されている留守番電話メッセージのうち再生時間が２秒以上の留守番電話メッセージだけを携帯電話２０に送信する場合を例に説明した。これに対し、２秒未満の留守番電話メッセージも送信するようにしてもよい。
【０１２４】
（３）上記実施形態１では複合機１０は留守番電話メッセージを送信元電話番号と対応付けてＲＡＭ１１Ｃに記憶する場合を例に説明した。これに対し、留守番電話メッセージを送信元電話番号と対応付けずに記憶してもよい。その場合は未再生の留守番電話メッセージのうち再生時間が２秒以上である全ての留守番電話メッセージを携帯電話２０に送信すればよい。なお、その場合はＳ２１２において携帯電話２０には送信元電話番号は送信されないことになる。
【０１２５】
（４）上記実施形態２ではユーザ情報として認証情報を例に説明した。しかしながら、ユーザ情報は認証情報に限られない。例えば複合機１０はログインしなくても各機能を利用できるものであってもよい。その場合に、携帯電話２０のユーザは、認証の目的ではなく、複合機１０が携帯電話２０のユーザを識別できるようにするために、複合機１０にユーザＩＤを入力してもよい。
【０１２６】
（５）上記実施形態では検出部としてＮＦＣ通信部１８を例に説明した。これに対し、検出部はＮＦＣ通信部１８に限られない。例えば複合機１０から検出光を出射し、携帯電話２０を近付けると携帯電話２０によってその光が反射され、複合機１０は反射された光を光学センサによって受光した場合に携帯電話２０を検出したと判断してもよい。
【０１２７】
（６）上記実施形態では複合機１０は留守番電話メッセージをＲＡＭ１１Ｃに記憶する場合を例に説明した。これに対し、複合機１０は留守番電話メッセージを外部のファイルサーバに記憶させてもよい。この場合は外部のファイルサーバが記憶装置の一例である。
【０１２８】
この場合、複合機１０は携帯電話２０に留守番電話メッセージそのものを送信するのではなく、外部のファイルサーバに記憶されている留守番電話メッセージへのリンクを携帯電話２０に送信してもよい。そして、携帯電話２０のユーザは携帯電話２０を操作してリンク先にアクセスすることによってファイルサーバから留守番電話メッセージをダウンロードしてもよい。
【０１２９】
（７）上記実施形態では複合機１０はＷｉＦｉダイレクト方式の無線通信によって携帯電話２０に留守番電話メッセージを送信する場合を例に説明した。これに対し、複合機１０はＬＡＮ（Ｌｏｃａｌ  Ａｒｅａ  Ｎｅｔｗｏｒｋ）やインターネットなどの通信ネットワークを介して通信するためのネットワークインタフェース部を備え、携帯電話２０がデータを受信可能な外部装置に通信ネットワークを介して留守番電話メッセージを送信してもよい。
【０１３０】
携帯電話２０がデータを受信可能な外部装置とは、例えばデータを記憶するサービスを提供するクラウドサーバである。携帯電話２０は外部装置から留守番電話メッセージをダウンロードすることにより、複合機１０が電話回線を介して受信した留守番電話メッセージを、複合機１０に宛先を登録しなくても受信することが可能になる。この場合はネットワークインタフェース部がデータ通信部の一例である。
【０１３１】
なお、携帯電話２０がデータを受信可能な外部装置は電子メールサーバであってもよい。例えば複合機１０は携帯電話２０からＮＦＣ方式の無線通信またはＷｉＦｉダイレクト方式の無線通信によって電子メールアドレスを取得し、その電子メールアドレスを宛先として設定した電子メールに留守番電話メッセージを添付して電子メールサーバに送信してもよい。この場合、携帯電話２０は予め複合機１０に電子メールアドレスを登録しておかなくても留守番電話メッセージを電子メールによって受信することが可能になる。
【０１３２】
（８）上記実施形態で複合機１０が行っている処理の一部は携帯電話２０によって行われてもよい。例えば、実施形態１において複合機１０がＳ２０２で行っている未再生の判断は、携帯電話２０によって行われてもよい。具体的には例えば、複合機１０は記憶されている全ての留守番電話メッセージの送信元電話番号を携帯電話２０に送信し、未再生であるか否かを携帯電話２０が判断してもよい。
【０１３３】
また、例えば、複合機１０がＳ２１０で行っている携帯電話２０の電話帳に登録されている電話番号と一致するか否かの判断は、携帯電話２０によって行われてもよい。具体的には例えば、複合機１０は記憶されている全ての留守番電話メッセージの送信元電話番号を携帯電話２０に送信し、一致するか否かを携帯電話２０が判断してもよい。
【０１３４】
実施形態２において複合機１０がＳ３０４で行っているユーザの電話番号リストに登録されている電話番号と一致するか否かの判断についても同様であり、複合機１０は記憶されている全ての留守番電話メッセージの送信元電話番号と携帯電話２０のユーザの電話番号リストとを携帯電話２０に送信し、一致するか否かを携帯電話２０が判断してもよい。
【０１３５】
（９）上記実施形態では識別情報として電話番号を例に説明した。これに対し、識別情報は送信元を一意に特定できる情報であれば電話番号に限られない。例えば識別情報は送信元の電話番号に対応付けられている名称であってもよいし、何らかの番号であってもよい。
【０１３６】
（１０）上記実施形態では複合機１０の出力部１９で未再生の留守番電話メッセージを携帯電話２０に送信する場合を例に説明した。これに対し、複合機１０の出力部１９で未再生であり、且つ、未だ携帯電話２０に送信されたことのない留守番電話メッセージを送信するようにしてもよい。既に携帯電話２０に送信されたことのある留守番電話メッセージは携帯電話２０のユーザが受信したいと所望する可能性が低いと考えられるからである。
【０１３７】
（１１）上記実施形態ではデータとして留守番電話メッセージ、すなわち音声データを例に説明した。これに対し、データはＦＡＸデータであってもよい。この場合は印刷部１４が出力部の一例である。
【０１３８】
（１２）上記実施形態では通信装置として複合機１０を例に説明した。これに対し、通信装置は単機能のＦＡＸ装置であってもよいし、ＦＡＸ機能を備えない電話機であってもよい。
【０１３９】
（１３）上記実施形態では携帯端末として携帯電話２０を例に説明した。これに対し、携帯端末はノート型のパーソナルコンピュータやタブレット端末などであってもよい。
【０１４０】
（１４）上記実施形態ではＣＰＵ１１Ａによって各処理が実行される場合を例に説明した。これに対し、これらの処理の一部はＡＳＩＣ１１Ｄによって実行されてもよい。また、装置側制御部１１はＡＳＩＣ１１Ｄを備えていなくてもよい。また、装置側制御部１１は複数のＣＰＵを備え、上述した処理を複数のＣＰＵによって分担して実行してもよい。端末側制御部２１についても同様である。
【符号の説明】
【０１４１】
１・・・通信システム、１０・・・複合機、１１Ａ・・・装置側制御部、１１Ｃ・・・ＲＡＭ、１１Ｅ・・・ＥＥＰＲＯＭ、１６・・・電話・ＦＡＸ部、１７・・・ＷｉＦＩ通信部、１８・・・ＮＦＣ通信部、２０・・・携帯電話、２１・・・端末側制御部、２１Ｅ・・・ＥＥＰＲＯＭ、２３・・・表示部、２５・・・ＷｉＦｉ通信部、２６・・・ＮＦＣ通信部、４０・・・選択画面
【図１】
2015090601.tif 000003
【図２】
2015090601.tif 000004
【図３】
2015090601.tif 000005
【図４】
2015090601.tif 000006
【図５】
2015090601.tif 000007
【図６】
2015090601.tif 000008
【図７】
2015090601.tif 000009
【図８】
2015090601.tif 000010